【事件の表示】
　平成１１年特許願第１１４７８２号「画像読取装置、画像読取方法、および画像読取手順を記憶したコンピュータ読み取り可能な記憶媒体、並びに画像形成装置」拒絶査定に対する審判事件［平成１２年１１月　２日出願公開、特開２０００−３０７８２１］について、次のとおり審決する。
【結　論】
　本件審判の請求は、成り立たない。
【理　由】
１．手続の経緯
　本願は、平成１１年４月２２日の出願であって、原審審査官がした拒絶理由の通知に対して平成１４年１１月２１日付で手続補正がなされ、平成１５年１月３０日付で拒絶査定がなされ、これに対して、平成１５年３月６日付で審判請求がなされた後、平成１５年４月７日付で手続補正がなされ、当審がした拒絶理由の通知に対して平成１５年１１月２５日付で手続補正がなされたものである。
　
２．本願発明
　本願の請求項１に係る発明（以下、「本願発明」という。）は、平成１５年１１月２５日付手続補正書により補正された明細書及び図面の記載からみて、その特許請求の範囲の請求項１に記載された次のとおりのものである。
「【請求項１】　画像読取装置において、
　原稿に対して相対的に移動して前記原稿を読み取り画像データを得るための読取手段と、
　前記読取手段の読取方式を、前記読取手段を固定し前記原稿を移動させて前記原稿を読み取る第１読取方式と、プラテンガラス上に前記原稿を固定して前記読取手段を移動させ前記原稿を読み取る第２読取方式とのいずれかに設定する読取方式制御手段と、
　前記第１読取方式で原稿を読み取り、読み取った画像データから当該原稿がカラー原稿であるかモノクロ原稿であるかを判定するとともに、読み取った画像データを出力のために記憶する判定手段と、
　前記判定手段による判定結果がモノクロ原稿である前記原稿に対しては、前記第１読取方式による読み取りで記憶した前記画像データを出力し、前記判定手段による判定結果がカラー原稿である前記原稿に対しては、同一原稿を前記第１読取方式による読み取りに引き続いて前記第２読取方式により読み取り、前記第２読取方式による読み取りで得られた画像データを出力するよう制御する出力制御手段と、を有することを特徴とする画像読取装置。」
　
３．引用例
（１）引用例１
　これに対して、当審で引用した特開平９−２６１４１７号公報（以下、「引用例１」という。）には、図面とともに以下の各記載がある。
　ア．「【請求項１】　原稿画像を読取る読取手段へ原稿を供給する供給手段と、
　前記読取手段により得られた画像情報に基づいて記録媒体に画像を形成する形成手段と、
　それらの手段を制御する制御手段とを有し、
　前記読取手段は、前記供給手段により供給され固定された原稿の画像を読取る第一の読取モードと、前記供給手段により搬送される原稿の画像を搬送中に読取る第二の読取モードとを備え、
　前記形成手段は、複数の色成分を用いて画像形成する第一の形成モードと、一つの色成分を用いて画像形成する第二の形成モードとを備え、
　前記制御手段は、前記第二の読取モードにより予め読取った原稿の画像情報に基づいて、その原稿の画像読取モードおよび画像形成モードを制御することを特徴とする画像処理装置。」（２頁左欄２〜１７行）
　イ．「【０００７】本発明は、上述の問題を解決するためのものであり、白黒原稿とカラー原稿とが混在する可能性がある複数枚の原稿を処理する際の効率を向上することができる画像処理装置およびその方法を提供することを目的とする。」（３頁左欄２７〜３１行）
　ウ．「【００１９】次に、以上の構成における画像情報の読取動作を詳細に説明するが、前述した循環式の自動原稿給送装置302を装着することにより、本実施形態は二種類の読取モードを実現することができる。
【００２０】画像固定読取モード: 自動原稿給送装置302により、原稿台ガラス301の所定の位置に原稿402を固定して載置し、第一読取キャリッジ314を速度Vで、第二読取キャリッジ315を速度V/2で走査することにより、画像情報を読取るモード。
【００２１】画像流し読取モード: 図4に示すように、第一読取キャリッジ314および第二読取キャリッジ315を、矢印Dの方向へそれぞれ移動した後、第一読取キャリッジ314を位置R1に、第二読取キャリッジ315を位置R2にそれぞれ固定して、自動原稿給送装置302により搬送される原稿402の画像情報を読取るモード。このモードは、原稿402を搬送しながら画像情報を読取るため、原稿の交換に要する時間が不要になる分、画像固定読取モードよりも短時間に画像情報を読取ることができる。また、位置R1およびR2を以下では「流し読みポジション」と呼ぶ。」（４頁左欄２２〜４１行）
　エ．「００２３】図5はコントローラ部201の構成例を示すブロック図である。
【００２４】CCD101よりコントローラ部201へ入力された原稿402の画像情報を表すRGB画像信号は、画像処理部202により公知のディジタル画像処理が施され、最終的に例えば二値のディジタルCMYK画像信号に変換され、プリンタ部362へ供給される。
【００２５】また、コントローラ部201は、本実施形態のディジタルカラー複写機全体を制御する。つまり、CPU204は、ROM203に予め格納されたプログラムに従い、バス207や信号線を介して、自動原稿供給装置302，リーダ部361およびプリンタ部362を制御して、操作部206から指示された動作を実行させる。また、RAM205はCPU204のワークメモリであり、CPU204は、RAM205を利用して後述するACSモード処理などを実行する。」（４頁右欄４〜１８行）
　オ．「【００３２】●ACSモード
　図7はACSモード処理の一例を示すフローチャートで、処理対象の原稿が白黒原稿かカラー原稿かを自動的に判定してコピーを実行するものである。
【００３３】ステップS11で操作部206のコピースタートキーが押されるのを待ち、コピースタートキーが押されるとコピー動作を開始し、ステップS12でACS処理の準備を行う。つまり、原稿載置台401上の原稿402を原稿給送位置へセットするとともに、光源303を点灯し、二つの読取キャリッジを流し読みポジションへ移動する。
【００３４】続いて、原稿402の給送を開始し、ステップS13で原稿流し読取モードで一枚目の原稿の画像を読取り、ステップS14でACS処理を行う。つまり、原稿402の画像データをRAM205に一旦記憶し、その画像データを用いた演算から白黒原稿かカラー原稿かを原稿ごとに判別し、その原稿ごとの判別結果（ACS情報）を、その原稿番号（または原稿に関連した番号）とともにRAM205に記憶する。そして、ステップS15の判断により、すべての原稿の判定が終えるまで、ステップS13とS14の処理を繰り返す。なお、この処理の間、読取キャリッジは流し読みポジションに移動されたままである。
【００３５】原稿載置台401に置かれた複数の原稿402のACS判定が終了すると、ステップS16でRAM205などからコピーする原稿402の判定結果を読出し、その判定結果に基づいてステップS17で処理を分岐する。つまり、判定結果がカラー原稿であることを示す場合はステップS18へ進んで、二つの読取キャリッジをホームポジションに戻し、記録紙の供給間隔をL1に設定し、画像固定読取モードにより原稿402の画像を読取る。一方、判定結果が白黒原稿であることを示す場合はステップS19へ進んで、読取キャリッジを流し読みポジションに固定し、記録紙の供給間隔をL2に設定し、画像流し読取モードにより原稿402の画像を読取る。
【００３６】これは、白黒原稿をコピーする場合、画像の形成をK画像形成部320だけで行う白黒画像形成モードを利用できるので、カラー画像形成モードに比べて画像形成動作が高速になる。従って、画像流し読取りモードにより画像情報の読取りも高速化することができ、コピー動作の高速化，ランニングコストの低減，黒色の再現性の向上などを得ることができる。このように、白黒原稿の場合は、カラー原稿の場合よりも短時間に画像情報を読取り、短時間に画像を形成することができるので、記録紙の供給間隔L1とL2の関係はL1L2になる。
【００３７】続いて、ステップS20で原稿一枚についてのコピー枚数（コピー部数）に応じて処理を分岐する。コピー枚数が一枚の場合は、ステップS21で供給される記録紙に画像を形成する。また、複数枚コピーする場合は、ステップS22およびS23で所謂リテンションコピーを行う。つまり、ステップS22で読取った画像データを画像処理部202のリテンションメモリ（例えばRAM205を用いる）に保存し、ステップS23でリテンションメモリから読出した画像データにより、前述した間隔で連続して供給される指定枚数の記録紙に画像を形成する。」（５頁左欄１２行〜同頁右欄１４行）
　これらの記載からみて、引用例１には、
「原稿画像を読取る読取手段と、
　前記読取手段へ原稿を供給する供給手段と、
　前記読取手段により得られた画像データに基づいて記録紙に画像を形成する形成手段と、
　供給手段、読取手段及び形成手段を制御して、操作部からの指示された動作を実行させるＣＰＵと、ＣＰＵのワークメモリであるＲＡＭとからなる制御手段とを有し、
　前記読取手段は、前記供給手段により供給された原稿を、原稿台ガラスの所定の位置に固定して載置し、読取キャリッジを走査することにより、原稿の画像情報を読取る第一の読取モード（画像固定読取モード）と、読取キャリッジを固定して、前記供給手段により搬送される原稿の画像を搬送中に読取る第二の読取モード（画像流し読取モード）とを備え、
　前記形成手段は、複数の色成分を用いて画像形成する第一の形成モードと、一つの色成分を用いて画像形成する第二の形成モードとを備え、
　前記制御手段は、前記第二の読取モードにより予め読取った原稿の画像情報に基づいて、その原稿の画像読取モードおよび画像形成モードを制御すると共に、
　前記制御手段を構成するＣＰＵがＲＡＭを利用して、処理対象の原稿が白黒原稿かカラー原稿かを自動的に判定してコピーを実行する、ＡＣＳモード処理を実行するにあたり、
　原稿を読み取るための読取キャリッジを固定し供給手段により搬送される原稿を読み取る第二の読取モード（画像流し読取モード）により前記原稿を読取り、
　読取った画像データをＲＡＭに一旦記憶し、
　前記第二の読取モード（画像流し読取モード）で読取られた画像データから前記原稿がカラー原稿であるか白黒原稿であるかの判定をすべての原稿に対して行い、その判定結果を記憶し、
　前記判定結果が白黒原稿である前記原稿に対しては、あらためて第二の読取モード（画像流し読取モード）により読取った画像データにより記録紙に画像を形成し、前記判定結果がカラー原稿である前記原稿に対しては、原稿を固定し読取キャリッジを走査させて原稿を読取る第一の読取モード（画像固定読取モード）により前記原稿を読取り、当該読取りで得られた画像データにより記録紙に画像を形成するように制御する
ことを特徴とする画像処理装置。」の発明（以下、「引用例１記載の発明」という。）が記載されている。
　
（２）引用例２
　また同じく、当審で引用した特開平６−２８４２５５号公報（以下、「引用例２」という。）には、図面とともに以下の各記載がある。
　ア．「・・・この本体部１には、コンピュータと、読み取った画像情報を記憶し保存すると共に必要なときには随時読み出し可能な光ディスクなどを用いた記憶装置が内蔵されている。更に、読み取った画像情報、あるいは保存された画像情報の中から所望の画像情報を出力する図示しないプリンタも備えている。」（３頁左欄３９〜４４行）
　イ．「【００１８】ＣＣＤブロック２４は、図示しないワイヤを介して図示しないＤＣモータにて駆動され、原稿台ガラス２６の下方位置と、原稿台ガラス２７の左端位置との間で、図２に矢印Ａで示す方向に沿って往復動自在となっている。これにより読取部１０では、原稿の記録画像を該原稿を搬送させつつＣＣＤブロック２４にて読み取るシートスルー方式スキャン（以下、第１スキャンモードという）と、載置された原稿の記録画像をＣＣＤブロック２４を移動させつつ読み取るフラットベット方式スキャン（以下、第２スキャンモードという）とが行えるようになっている。つまり、第１スキャンモードにおいては、原稿の記録画像は、該原稿が原稿台ガラス２６上を通過する際に、この原稿台ガラス２６の下方で停止しているＣＣＤブロック２４によって読み取られる。第１スキャンモードにて記録画像の読み取りが終了した原稿は、搬送ベルト１５によって原稿台ガラス２７上の所定位置まで搬送され、その位置で待機する。一方、第２スキャンモードにおいては、原稿の記録画像は、該原稿が原稿台ガラス２７上の所定位置に停止された状態で、ＣＣＤブロック２４が移動することにより読み取られる。」（３頁右欄３０〜５０行）
　ウ．「【００２４】プリンタは、読み取った画像情報をそのまま出力したり、光ディスクに記憶し保存された画像情報を必要に応じて随時読み出して出力したりできるようになっている。」（４頁右欄５〜８行）
　エ．「【００２５】図５は、図４に示される画像処理システムの概略ブロック図であり、本体部１に内蔵されたコンピュータ２には、上述した光ディスクなどを用いた記憶装置３、表示装置５、キーボード６、プリンタ７が接続され、さらに、イメージスキャナ８の制御を行う制御手段としてのコントローラ１１が接続され、コンピュータ２は画像処理システム全体を統括的に制御している。
　　　　・・・・・（中略）・・・・・
【００２８】また、コンピュータ２は、バッファメモリ２ａを有しており、イメージスキャナ８により読み取られた画像情報が一時記憶されるようになっている。さらに、コンピュータ２は、各種の読み出し専用メモリ（以下、ＲＯＭという。）を有しており、例えば、原稿、図面、及び写真等の標準的な濃度分布等が記憶されたＲＯＭ２ｂを有する。そして、コンピュータ２は、前記バッファメモリ２ａに一時記憶された第１スキャンモードにより読み取った画像情報の濃度分布と、前記ＲＯＭ２ｂに記憶された標準濃度分布とを比較して、読取濃度が薄すぎるか濃すぎるかについての読取不良の有無を判断するようになっている。」（４頁右欄９〜５０行）
　オ．「【００２９】次に、本実施例の作用を図６の読取動作を表す図６及び図７の制御フローに沿って説明する。・・・・・（中略）・・・・・この後、原稿Ｐは、レジストローラ１４まで運ばれ一時停止する。次に、コントローラ１１は、読取信号を出力し（ステップＳ１）、図６(a) に示すように、レジストローラ１４を回転させて原稿Ｐを定速で搬送させつつ、停止したＣＣＤブロック２４により画像情報の読み取りを行う（第１スキャンモード、ステップＳ２）。
【００３０】第１スキャンモードによる画像情報の読み取りが終了すると、コントローラ１１は、搬送ベルト１５を作動させて原稿Ｐを原稿台ガラス２７上を搬送させ、所定の基準位置まで原稿が搬送されると搬送ベルト１５の作動を停止させ、原稿をその基準位置に待機させる。第１スキャンモードにおいて原稿が傾いた状態で読み取られた後搬送されてきた場合は、原稿Ｐの端部が突当部材２８に当接され、搬送ベルト１５の動作を所定時間だけ継続させることにより原稿の傾きが補正される。ここで、シート傾きセンサ２２及びシート送り速度センサ２３により検出された検出値は、コントローラ１１を介してコンピュータ２に入力されている。そして、コンピュータ２において、これらの検出値に基づいて読み取った画像情報の良否、すなわち、原稿の傾き及び搬送速度のばらつきについての良否が判断される（ステップＳ３）。また、コンピュータ２は、同時に、第１スキャンモードにより読み取られた画像情報の濃度分布を、ＲＯＭ２ｂに予め記憶された標準濃度分布と比較して、読取濃度が薄すぎるか濃すぎるかについての画像情報の良否も判断している。
【００３１】このステップＳ３において、読み取りの画像情報が不良と判断した場合、コンピュータ２は、コントローラ１１に第２スキャンモードによる再読取動作を行うよう再読取信号を出力する。コントローラ１１は、図６(b) に示すように、移動手段２５（図５参照）を作動させることによって、ＣＣＤブロック２４を原稿台ガラス２７の図中左端付近までＢ方向に移動させた後、Ｃ方向に移動させながら原稿台ガラス２７上に載置され停止した状態の原稿Ｐの記録画像の再読み取りを行う（第２スキャンモード、ステップＳ４）。」（５頁左欄４行〜同頁右欄６行）
　カ．「【００３５】このように本実施例のイメージスキャナ８は、原稿を搬送しつつ原稿の記録画像をＣＣＤブロック２４にて読み取る第１スキャンモードと、原稿台ガラス２７上に載置された原稿の記録画像を前記ＣＣＤブロック２４を移動させつつ読み取る第２スキャンモードとを備え、第１スキャンモードによる読み取りが終了した原稿を原稿台ガラス２７上の所定位置まで搬送して停止させ、必要に応じて第２スキャンモードによる再読み取りを実行するようにしたため、読み取った画像が傾いていたり画像濃度が薄かったりして再度読取りが必要な場合であっても、オペレータはその都度排紙トレイ１９に排出された原稿を再度給紙トレイ１８に戻す必要がない。したがって、オペレータはキーボード６から手を離すことなく作業を行うことが可能となり、再読み取り作業を迅速に行え、ひいては、連続した読み取り作業全体の作業効率を向上させることができる。」（５頁右欄３２〜４７行）
　　
４．対比
　そこで、本願発明と引用例１記載の発明とを対比すると、
　引用例１記載の発明の「読取手段」は、本願発明の「読取手段」に相当し、
　引用例１記載の発明の「第一の読取モード（画像固定読取モード）」、「第二の読取モード（画像流し読取モード）」は、それぞれ本願発明の「第２読取方式」、「第１読取方式」に相当し、
　引用例１記載の制御手段は、原稿の画像読取モードを制御しているから、引用例１記載の発明の「制御手段」は、本願発明の「読取方式制御手段」に相当し、
　引用例１記載の制御手段は、読取った画像データから当該原稿がカラー原稿であるかモノクロ原稿であるかを判定しているから、下記の相違点を除いて、引用例１記載の発明の「制御手段」は、本願発明の「判定手段」に相当し、
　引用例１記載の制御手段は、前記判定手段による判定結果がモノクロ原稿である前記原稿に対しては、第二の読取モード（画像流し読取モード）による読取りで得られた画像データを出力し、前記判定手段による判定結果がカラー原稿である前記原稿に対しては、第一の読取モード（画像固定読取モード）による読取りで得られた画像データを出力するよう制御しているから、下記の相違点を除いて、引用例１記載の発明の「制御手段」は、本願発明の「出力制御手段」に相当し、
　引用例１記載の発明の「画像処理装置」は、画像読取を行っているから、本願発明の「画像読取装置」に相当するということができるから、両者は、
「画像読取装置において、
　原稿に対して相対的に移動して前記原稿を読み取り画像データを得るための読取手段と、
　前記読取手段の読取方式を、前記読取手段を固定し前記原稿を移動させて前記原稿を読み取る第１読取方式と、プラテンガラス上に前記原稿を固定して前記読取手段を移動させ前記原稿を読み取る第２読取方式とのいずれかに設定する読取方式制御手段と、
　前記第１読取方式で原稿を読み取り、読み取った画像データから当該原稿がカラー原稿であるかモノクロ原稿であるかを判定する判定手段と、
　前記判定手段による判定結果がモノクロ原稿である前記原稿に対しては、前記第１読取方式による読み取りで得られた前記画像データを出力し、前記判定手段による判定結果がカラー原稿である前記原稿に対しては、前記第２読取方式による読み取りで得られた画像データを出力するよう制御する出力制御手段と、を有することを特徴とする画像読取装置。」
である点で一致し、次の点で相違する。
（相違点）
　本願発明では、判定手段が、読み取った画像データを
出力のために
記憶した
前記第１読取方式による読み取りに引き続いて
引用例１記載の発明では、判定手段が、当該手段内のＲＡＭに読み取った画像データを記憶して判定し、さらに、出力制御手段が、判定結果がモノクロ原稿である原稿に対しては、あらためて第１読取方式による読み取りで得られた画像データを出力し、判定結果がカラー原稿である前記原稿に対しては、第２読取方式による読み取りで得られた画像データを出力するよう制御するものである点。
　
５．当審の判断
　上記相違点について検討すると、
　結局、引用例１記載の発明では、予めすべての原稿に対して判定を行うことを前提としているといえるが、引用例２には、シートスルー方式スキャンにより読み取った原稿の画像情報がそのままプリンタ等に出力することが好ましくないものであるか否かを判断して、その結果によりそのままのスキャン方式で読み取ったものを出力するようにするか、異なるスキャン方式で読み取ったものを出力するようにするかを選択するという着想が開示されているということができ、引用例１記載の発明と同様、シートスルー方式スキャン（本願発明の第１読取方式に相当）により原稿を読み取り、読み取られた画像データ等から所定の判定処理を行い、判定結果に応じてシートスルー方式スキャンあるいはフラットベット方式スキャン（本願発明の第２読取方式に相当）のどちらで読み取られた画像データをプリンタや外部記録媒体（光ディスク）に出力するかを定めるようにしたものであって、コンピュータが、シートスルー方式スキャンにより一枚の原稿を読み取る毎に所定の判定を行い、判定結果に応じて、前記シートスルー方式スキャンによる読み取りですでにコンピュータ内のバッファメモリに記憶された画像データを出力するか、あるいは同一原稿を前記シートスルー方式スキャンによる読み取りに引き続いて、フラットベット方式スキャンによる読み取りを行って得られた画像データを（バッファメモリを介して）出力するよう制御するようにしたものが記載されているところであり、引用例１記載の発明においても、予めすべての原稿に対して判定を行うことを前提とするのに代えて、引用例２に記載の上記構成を採用し、すなわち、第１読取方式により一枚の原稿を読み取る毎にカラー原稿であるかモノクロ原稿であるかの判定を行うことを前提とし、判定手段において読み取った画像データを出力のためにＲＡＭなどに記憶し、出力制御手段において判定結果がモノクロ原稿である原稿に対しては、第１読取方式による読み取りですでに記憶された画像データを出力し、判定結果がカラー原稿である前記原稿に対しては、同一原稿を前記第１読取方式による読み取りに引き続いて、第２読取方式による読み取りで得られた画像データを出力するようにすることは当業者が容易になし得ることと認められる。
　そして、本願発明の構成に基づく作用効果についてみても当業者が予測し得る範囲内のものにすぎず、格別顕著なものがあるとはいえない。
　
６．むすび
　以上のとおり、本願発明は、引用例１及び引用例２に記載された発明に基づいて当業者が容易に発明をすることができたものであるから、特許法第２９条第２項の規定により特許を受けることができない。
　よって、結論のとおり審決する。